(57)【要約】  【課題】  既設の太陽電池モジュールに冷却・加温用の重合部材を必要に応じて簡易的に支持架台に取り付ける取付金具を提供する。  【解決手段】  太陽電池モジュール５１の板状の本体５２の下面５２ｂに冷却又は加温等する重合部材５４を密着させ、取付金具１で本体５２の四囲を保持する枠体５３の本体５２の端縁が嵌め込まれる断面概略コ字状の嵌合部５３ａの下方に間隔を置いて本体５２の下面５２ｂと平行に延出する支持板部５３ｂに固定する。取付金具１は、重合部材５４を載せ受ける押さえ部材２と、この押さえ部材２の両端部と支持板部５３ｂとの間に挿入されて弾性変形し、重合部材５４を太陽電池モジュール５１の本体５２の下面５２ｂに押し当てると共に枠体５３の支持板部５３ｂからの離脱を阻止される係止部材３とを具備させる。【選択図】図３
2020188562.tif 000002
【特許請求の範囲】
【請求項１】
セルが封止された矩形板状の本体と、この本体の四囲を保持する枠体とを具備する太陽電池モジュールであって、
前記本体は、受光面である上面と、その反対側である下面とを具備し、
前記枠体は、前記本体の端縁が嵌め込まれる断面概略コ字状の嵌合部と、その下方に間隔を置いて前記本体の下面と平行に延出する支持板部とを具備し、
前記本体の下面に密着させて冷却又は加温等する重合部材を前記枠体に支持する取付金具において、
前記重合部材を載せ受ける押さえ部材と、
この押さえ部材の両端部と前記支持板部との間に挿入されて弾性変形し、前記重合部材を前記本体の下面に押し当てると共に前記枠体からの離脱を阻止される係止部材とを具備することを特徴とする太陽電池モジュール用重合部材の取付金具。
【請求項２】
前記両係止部材は、中間部が折り返されて対向する両端部間が上下に接近、離反可能に弾性変形するばね部と、
このばね部の下部で前記枠体の支持板部の下面に掛かるフック部と、
前記ばね部の上部位置を前記押さえ部材の対向する側板に抜き差し自在に両端の相互間隔を変更可能な弾性変形する軸部とを具備することを特徴とする請求項１に記載の太陽電池モジュール用重合部材の取付金具。
【請求項３】
前記押さえ部材は、前記係止部材の軸部を受け入れて、前記枠体に対する接近位置と離反位置との間を移動可能で、接近位置への途上で前記フック部が前記枠体の支持板部に掛かるとばね部を弾性変形させる横方向の長孔と、接近位置でばね部を原形に復帰させて逆行を阻止することにより枠体からの離脱を阻止する縦方向の長孔とを具備することを特徴とする請求項２に記載の太陽電池モジュール用重合部材の取付金具。
【請求項４】
前記係止部材は、中間部が折り返されて対向する両端部が相互に接近、離反可能に弾性変形するばね部と、
このばね部の下部で前記枠体の支持板部の下面に掛かるフック部と、
前記ばね部の上部から下方の段差をもって前記押さえ部材に沿って伸び、押さえ部材の側板の上部を繋ぐ上板に沿い側板にガイドされて前記枠体へ移動させた接近位置で、押さえ部材の先端を段差が越えてばね部を復元することにより係止部材の逆行を阻止する係合部とを具備することを特徴とする請求項１に記載の太陽電池モジュール用重合部材の取付金具。
【発明の詳細な説明】
【技術分野】
【０００１】
本発明は、支持架台上に固定された太陽電池モジュールの本体に冷却用又は温熱用の重合部材を密着させるための取付金具に関する。
【背景技術】
【０００２】
従来、特許文献１に支持架台上に固定した太陽電池モジュールを冷却する太陽電池モジュール冷却ユニットが記載されている。この太陽電池モジュール冷却ユニットは、支持架台上の太陽電池モジュールとの間に気体を流通させる気体流路形成部材と、冷却気体を供給する冷却気体供給筒とを備えている。
また、特許文献２に太陽電池モジュールを冷却・加温するソーラーパネルの冷却・加温装置が記載されている。この冷却・加温装置は、ソーラーパネルに重ねて一体化する容器状の支持板部と、ソーラーパネルと支持板部と間に収容されて上下に通水させる密閉の平袋と、平袋に通水させる送水管とを具備する。
【先行技術文献】
【特許文献】
【０００３】
【特許文献１】特開2013-093524号公報
【特許文献２】特開2013-075514号公報
【発明の概要】
【発明が解決しようとする課題】
【０００４】
上記従来の装置においては、何れも太陽電池モジュールの支持架台に一体的に設けられ、専用の支持架台と共に組み立てなければならない。太陽電池モジュールの冷却・加温手段は、既設の太陽電池モジュールの環境に応じて冷却用又は温熱用の板状、マット状又はシート状の重合部材を事後的に付加されるものが好都合で、これらを既設の支持架台に簡易的に装着できる取付金具が望まれている。
したがって、本発明は、太陽電池モジュールの冷却・加温用の重合部材を必要に応じて簡易的に支持架台に取り付けるための太陽電池モジュールの冷却・加温用重合部材の取付金具を提供することを目的としている。
【課題を解決するための手段】
【０００５】
上記課題を解決するための、本発明の太陽電池モジュールの冷却・加温用重合部材の取付金具は、太陽電池モジュール５１のセルが封止された矩形板状の本体５２の下面５２ｂに密着させて冷却又は加温等する重合部材５４を、本体５２の四囲を保持する枠体５３の本体５２の端縁が嵌め込まれる断面概略コ字状の嵌合部５３ａの下方に間隔を置いて本体５２の下面５２ｂと平行に延出する支持板部５３ｂに固定するように構成する。取付金具１は、重合部材５４を載せ受ける押さえ部材２と、この押さえ部材２の両端部と支持板部５３ｂとの間に挿入されて弾性変形し、重合部材５４を太陽電池モジュール５１の本体５２の下面５２ｂに押し当てると共に枠体５３の支持板部５３ｂからの離脱を阻止される係止部材３とを具備させた。
【発明の効果】
【０００６】
本発明の太陽電池モジュール冷却・加温を重合部材の取付金具によれば、特別の工具を用いることなく、既設の太陽電池モジュールの下面に重合部材を簡単な操作で迅速にかつ確実に取り付ることができる。
【図面の簡単な説明】
【０００７】
【図１】本発明の第１の実施形態に係る太陽電池モジュールの冷却・加温用重合部材の取付金具の正面図である。
【図２】図１の取付金具の底面図である。
【図３】図１の取付金具の取付状態の正面図である。
【図４】本発明の第２の実施形態に係る太陽電池モジュールの冷却・加温用重合部材の取付金具の正面図である。
【図５】図４の取付金具の底面図である。
【図６】図４の取付金具の取付状態の正面図である。
【図７】本発明の第３の実施形態に係る太陽電池モジュールの冷却・加温用重合部材の取付金具の取付状態の正面図である。
【図８】図７の取付金具の取付操作途上の正面図である。
【発明を実施するための形態】
【０００８】
図面を参照して本発明の第１の実施形態を説明する。
図１ないし図３において、太陽電池モジュール５１は、セルが封止された矩形板状の本体５２と、この本体５２の四囲を保持するアルミ合金等からなる枠体５３とを具備する。本体５２は、受光面である上面５２ａと、その反対側である下面５２ｂとを有する。枠体５３は、本体５２の端縁が嵌め込まれる断面概略コ字状の嵌合部５３ａと、その下方に間隔を置いて本体５２の下面５２ｂと平行に延出する支持板部５３ｂとを具備する。支持板部５３ｂが図示しない支持架台上に固定される。
太陽電池モジュール５１を冷却・加温する板状又はシート状の重合部材５４は、本体５２の下面５２ｂに密着するように、取付金具１を介して枠体５３に支持される。
【０００９】
取付金具１は、太陽電池モジュール５１の本体５２の下面５２ｂに重なる重合部材５４を支持する押さえ部材２と、押さえ部材２の両端部を支持板部５３ｂに固定する係止部材３とを具備する。
【００１０】
押さえ部材２は、対向する側板部４の両端部に軸受け孔５を有する長尺の金属製角パイプ材からなる。
係止部材３は、曲げ加工した弾性金属線材からなり、押さえ部材２の軸受け孔５に外側から貫通するように互いに突き合わされた一対の軸部６と、両軸部６から直角に伸びてそれぞれＵ字状に折り返されて平行するばね部７と、ばね部７との間に枠体５３の支持板部５３ｂを受け入れるようにさらに折り返されて並行した後互いに結合するフック部８とを具備する。係止部材３は、軸部６，６間を拡開可能に弾性変形することにより、押さえ部材２の軸受け孔５に抜き差しして脱着可能である。ばね部７の対向部の間隔は、太陽電池モジュール５１の本体５２の下面５２ｂに密着させた重合部材５４の押さえ部材２の支持位置において軸部６と支持板部５３ｂとの間で縮小変形する寸法態様に構成されている。
【００１１】
この取付金具１は、図３に示すように、例えば、既設の太陽電池モジュール５１に重合部材５４を取り付けるとき、押さえ部材２を対向する支持板部５３ｂ，５３ｂの対向方向に配置して太陽電池モジュール５１の本体５２との間に重合部材５４を挟むように保持し、係止部材３を支持板部５３ｂに掛け止めた状態で軸部６を押さえ部材２の軸受け孔５に差し込み固定する。係止部材３は、フック部８を支持板部５３ｂに掛け、軸部６を押さえ部材２の軸受け孔５に差し込んだ状態で、ばね部７が軸部６と支持板部５３ｂとの間で上下に縮小変形して、押さえ部材２を押し上げて重合部材５４を太陽電池モジュール５１に密着させると共に、支持板部５３ｂを押し下げて支持板部５３ｂからの離脱を阻止する。
【００１２】
第２の実施形態に係る取付金具を図４ないし図６に示す。なお、以下において、先の実施形態と実質的に同一の部分は同一符号を付して説明を省略する。
取付金具９の押さえ部材１０は、断面略コ字状の長尺の金属製型材からなり、重合部材５４を載せ受ける上板部１１と、上板部３の両側から対向して垂直下方へそれぞれ連続する側板部１２とを具備する。押さえ部材１０は、一端部の側板部１２に係止部材３の軸部６を内側から貫通させる軸受け孔５と、他端部の側板部１２に鈎状の長孔１３とを備える。長孔１３は、横方向に伸びる横孔部１３ａと、これに連続し押さえ部材１０の端部側で上方へ直角に向かう縦孔部１３ｂとを具備し、係止部材３の軸部６を内側から貫通させて長孔１３の範囲で係止部材３を移動可能に係合させる。
【００１３】
押さえ部材１０の軸受け孔５及び長孔１３に軸部６を内側から差し込んだ状態で、押さえ部材１０の一端部の係止部材３を先と同様にして支持板部５３ｂに掛け止め、他端部の係止部材３を長孔１３に沿って外側へ移動させて支持板部５３ｂに掛け止める。他端部の係止部材３は、横孔部１３ａに沿う移動途上でフック部８が支持板部５３ｂに掛かると、ばね部７が縮小変形し、軸部６が縦孔部１３ｂに達すると、縦孔部１３ｂの上端に跳ね上がり係止部材３の逆行を阻止して抜け止めする。
【００１４】
第３の実施形態に係る取付金具を図７及び図８に示す。
取付金具１４の係止部材１６は、開口端部に向かうに従って間隔が拡がるばね部７及びフック部８と、さらにばね部７の先端から下方に段差をそれぞれ形成して並行して伸びる係合部１８と、係合部１８から垂直下方へ並行に伸びて互いに連続する引き手部１９とを具備する。太陽電池モジュール５１の本体５２の下面５２ｂに重合部材５４を密着させるように押さえ部材１５をあてがい、引き手部１９に指を掛けて係止部材１６を押さえ部材２の上板部４に沿って側板部４にガイドされつつ支持板部５３ｂまでスライドさせて装着する。係止部材１６は、移動途上でフック部８が支持板部５３ｂに掛かり始めると、押さえ部材１５の上板部１７と支持板部５３ｂとの間でばね部７が縮小変形し、ばね部７が上板部１７を越えると、上板部１７が係合部１８に落ち込んで係止部材１６の逆行を阻止して抜け止めする。
【符号の説明】
【００１５】
１    取付金具
２    押さえ部材
３    係止部材
４    側板部
５    軸受け孔
６    軸部
７    ばね部
８    フック部
９    取付金具
１０    押さえ部材
１３    長孔
１３ａ  横孔部
１３ｂ  縦孔部
１４    取付金具
１６    係止部材
１５    押さえ部材
１７    上板部
１８    係合部
１９    引き手部
５１    太陽電池モジュール
５２    本体
５２ａ  上面
５２ｂ  下面
５３    枠体
５３ａ  嵌合部
５３ｂ  支持板部
５４    重合部材
【図１】
2020188562.tif 000003
【図２】
2020188562.tif 000004
【図３】
2020188562.tif 000005
【図４】
2020188562.tif 000006
【図５】
2020188562.tif 000007
【図６】
2020188562.tif 000008
【図７】
2020188562.tif 000009
【図８】
2020188562.tif 000010
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
セルが封止された矩形板状の本体と、この本体の四囲を保持する枠体とを具備する太陽電池モジュールであって、
前記本体は、受光面である上面と、その反対側である下面とを具備し、
前記枠体は、前記本体の端縁が嵌め込まれる断面概略コ字状の嵌合部と、その下方に間隔を置いて前記本体の下面と平行に延出する支持板部とを具備し、
前記本体の下面に密着させて冷却又は加温等する熱モジュールを前記枠体に支持する取付金具において、
前記熱モジュールを前記本体の下面に密着させるように保持する剛性のある押さえ部材と、当該押さえ部材を前記枠体に固定する一対の係止部材とを具備し、
前記押さえ部材は、前記本体の下面に前記熱モジュールを介在させて沿う平滑な平面を有し、前記枠体の対向部間に延びるように配置され、
前記係止部材は、金属線材を屈曲成形してなり、前記押さえ部材の両端部から所定距離だけ中央よりの位置に係止される上部と、前記枠体の支持板部に係止される下部と、当該上下部間において折り返され対向する上下部間を接近、離反させるように弾性変形するばね部とを具備し、上部において前記押さえ部材を弾性的に上方へ押圧するように設けられることを特徴とする太陽電池モジュール用熱モジュールの取付金具。
【請求項２】
前記係止部材は、その下部に、前記枠体の支持板部を挟持するように屈曲したフック部を具備することを特徴とする請求項１に記載の太陽電池モジュール用熱モジュールの取付金具。
【請求項３】
前記押さえ部材は、その延長方向に沿う両縁に、相対向する側板を具備し、
前記係止部材は、その上端部に、前記押さえ部材の側板に抜き差し自在に枢支される軸部を具備し、当該軸部において前記押さえ部材に係止されることを特徴とする請求項１に記載の太陽電池モジュール用熱モジュールの取付金具。
【請求項４】
前記係止部材は、その上部が前記押さえ部材の下面に圧接されることによって前記押さえ部材に係止されることを特徴とする請求項２に記載の太陽電池モジュール用熱モジュールの取付金具。
【手続補正２】
【補正対象書類名】明細書
【補正対象項目名】全文
【補正方法】変更
【補正の内容】
【発明の詳細な説明】
【技術分野】
【０００１】
本発明は、支持架台上に固定された太陽電池モジュールの本体に冷却用又は温熱用の熱モジュールを密着させるための取付金具に関する。
【背景技術】
【０００２】
従来、特許文献１に支持架台上に固定した太陽電池モジュールを冷却する太陽電池モジュール冷却ユニットが記載されている。この太陽電池モジュール冷却ユニットは、支持架台上の太陽電池モジュールとの間に気体を流通させる気体流路形成部材と、冷却気体を供給する冷却気体供給筒とを備えている。
また、特許文献２に太陽電池モジュールを冷却・加温するソーラーパネルの冷却・加温装置が記載されている。この冷却・加温装置は、ソーラーパネルに重ねて一体化する容器状の支持板部と、ソーラーパネルと支持板部と間に収容されて上下に通水させる密閉の平袋と、平袋に通水させる送水管とを具備する。
【先行技術文献】
【特許文献】
【０００３】
【特許文献１】特開2013-093524号公報
【特許文献２】特開2013-075514号公報
【発明の概要】
【発明が解決しようとする課題】
【０００４】
上記従来の装置においては、何れも太陽電池モジュールの支持架台に一体的に設けられ、専用の支持架台と共に組み立てなければならない。太陽電池モジュールの冷却・加温手段としての熱モジュールは、既設の太陽電池モジュールの環境に応じて冷却用又は温熱用の板状、マット状又はシート状のものを事後的に付加されるものが好都合で、これらを既設の支持架台に簡易的に装着できる取付金具が望まれている。
したがって、本発明は、太陽電池モジュールの冷却・加温用の熱モジュールを必要に応じて簡易的に支持架台に取り付けるための太陽電池モジュールの冷却・加温用熱モジュールの取付金具を提供することを目的としている。
【０００５】
上記課題を解決するための、本発明の太陽電池モジュール用熱モジュール５４の取付金具は、熱モジュール５４を太陽電池モジュール５１の本体５２の下面に密着させるように保持する剛性のある押さえ部材２と、この押さえ部材２を太陽電池モジュール５１の枠体５３に固定する係止部材３とを具備する。押さえ部材２は、本体５２の下面に熱モジュール５４を介在させて沿う平滑な平面を有し、枠体５３の対向部間に延びるように配置される。係止部材３は、押さえ部材２の両端部から所定距離だけ中央よりの位置に係止される上部と、枠体５３の支持板部５３ｂに係止される下部と、当該上下部間において折り返され対向する上下部間を接近、離反させるように弾性変形するばね部７とを具備し、上部において押さえ部材２を弾性的に上方へ押圧するように設けられる。
【０００６】
本発明の太陽電池モジュール用熱モジュールの取付金具によれば、特別の工具を用いることなく、既設の太陽電池モジュールの下面に熱モジュールを簡単な操作で迅速にかつ確実に取り付けることができる。
【図面の簡単な説明】
【０００７】
【図１】本発明の第１の実施形態に係る太陽電池モジュールの冷却・加温用熱モジュールの取付金具の正面図である。
【図２】図１の取付金具の底面図である。
【図３】図１の取付金具の取付状態の正面図である。
【図４】本発明の第２の実施形態に係る太陽電池モジュールの冷却・加温用熱モジュールの取付金具の正面図である。
【図５】図４の取付金具の底面図である。
【図６】図４の取付金具の取付状態の正面図である。
【図７】本発明の第３の実施形態に係る太陽電池モジュールの冷却・加温用熱モジュールの取付金具の取付状態の正面図である。
【図８】図７の取付金具の取付操作途上の正面図である。
【０００８】
図面を参照して本発明の第１の実施形態を説明する。
図１ないし図３において、太陽電池モジュール５１は、セルが封止された矩形板状の本体５２と、この本体５２の四囲を保持するアルミ合金等からなる枠体５３とを具備する。本体５２は、受光面である上面５２ａと、その反対側である下面５２ｂとを有する。枠体５３は、本体５２の端縁が嵌め込まれる断面概略コ字状の嵌合部５３ａと、その下方に間隔を置いて本体５２の下面５２ｂと平行に延出する支持板部５３ｂとを具備する。支持板部５３ｂが図示しない支持架台上に固定される。
太陽電池モジュール５１を冷却・加温する板状又はシート状の熱モジュール５４は、本体５２の下面５２ｂに密着するように、取付金具１を介して枠体５３に支持される。
【０００９】
取付金具１は、太陽電池モジュール５１の本体５２の下面５２ｂに重なる熱モジュール５４を支持する押さえ部材２と、押さえ部材２の両端部を支持板部５３ｂに固定する係止部材３とを具備する。
【００１０】
押さえ部材２は、対向する側板部４の両端部に軸受け孔５を有する長尺の金属製角パイプ材からなる。
係止部材３は、曲げ加工した弾性金属線材からなり、押さえ部材２の軸受け孔５に外側から貫通するように互いに突き合わされた一対の軸部６と、両軸部６から直角に伸びてそれぞれＵ字状に折り返されて平行するばね部７と、ばね部７との間に枠体５３の支持板部５３ｂを受け入れるようにさらに折り返されて並行した後互いに結合するフック部８とを具備する。係止部材３は、軸部６，６間を拡開可能に弾性変形することにより、押さえ部材２の軸受け孔５に抜き差しして脱着可能である。ばね部７の対向部の間隔は、太陽電池モジュール５１の本体５２の下面５２ｂに密着させた熱モジュール５４の押さえ部材２の支持位置において軸部６と支持板部５３ｂとの間で縮小変形する寸法態様に構成されている。
【００１１】
この取付金具１は、図３に示すように、例えば、既設の太陽電池モジュール５１に熱モジュール５４を取り付けるとき、押さえ部材２を対向する支持板部５３ｂ，５３ｂの対向方向に配置して太陽電池モジュール５１の本体５２との間に熱モジュール５４を挟むように保持し、係止部材３を支持板部５３ｂに掛け止めた状態で軸部６を押さえ部材２の軸受け孔５に差し込み固定する。係止部材３は、フック部８を支持板部５３ｂに掛け、軸部６を押さえ部材２の軸受け孔５に差し込んだ状態で、ばね部７が軸部６と支持板部５３ｂとの間で上下に縮小変形して、押さえ部材２を押し上げて熱モジュール５４を太陽電池モジュール５１に密着させると共に、支持板部５３ｂを押し下げて支持板部５３ｂからの離脱を阻止する
【００１２】
第２の実施形態に係る取付金具を図４ないし図６に示す。なお、以下において、先の実施形態と実質的に同一の部分は同一符号を付して説明を省略する。
取付金具９の押さえ部材１０は、断面略コ字状の長尺の金属製型材からなり、熱モジュール５４を載せ受ける上板部１１と、上板部１１の両側から対向して垂直下方へそれぞれ連続する側板部１２とを具備する。押さえ部材１０は、一端部の側板部１２に係止部材３の軸部６を内側から貫通させる軸受け孔５と、他端部の側板部１２に鈎状の長孔１３とを備える。長孔１３は、横方向に伸びる横孔部１３ａと、これに連続し押さえ部材１０の端部側で上方へ直角に向かう縦孔部１３ｂとを具備し、係止部材３の軸部６を内側から貫通させて長孔１３の範囲で係止部材３を移動可能に係合させる。
【００１３】
押さえ部材１０の軸受け孔５及び長孔１３に軸部６を内側から差し込んだ状態で、押さえ部材１０の一端部の係止部材３を先と同様にして支持板部５３ｂに掛け止め、他端部の係止部材３を長孔１３に沿って外側へ移動させて支持板部５３ｂに掛け止める。他端部の係止部材３は、横孔部１３ａに沿う移動途上でフック部８が支持板部５３ｂに掛かると、ばね部７が縮小変形し、軸部６が縦孔部１３ｂに達すると、縦孔部１３ｂの上端に跳ね上がり係止部材３の逆行を阻止して抜け止めする。
【００１４】
第３の実施形態に係る取付金具を図７及び図８に示す。
取付金具１４の係止部材１６は、開口端部に向かうに従って間隔が拡がるばね部７及びフック部８と、さらにばね部７の先端から下方に段差をそれぞれ形成して並行して伸びる係合部１８と、係合部１８から垂直下方へ並行に伸びて互いに連続する引き手部１９とを具備する。太陽電池モジュール５１の本体５２の下面５２ｂに熱モジュール５４を密着させるように押さえ部材１５をあてがい、引き手部１９に指を掛けて係止部材１６を押さえ部材２の上板部４に沿って側板部４にガイドさせつつ支持板部５３ｂまでスライドさせて装着する。係止部材１６は、移動途上でフック部８が支持板部５３ｂに掛かり始めると、押さえ部材１５の上板部１７と支持板部５３ｂとの間でばね部７が縮小変形し、ばね部７が上板部１７を越えると、上板部１７が係合部１８に落ち込んで係止部材１６の逆行を阻止して抜け止めする。
【符号の説明】
【００１５】
１    取付金具
２    押さえ部材
３    係止部材
４    側板部
５    軸受け孔
６    軸部
７    ばね部
８    フック部
９    取付金具
１０    押さえ部材
１３    長孔
１３ａ  横孔部
１３ｂ  縦孔部
１４    取付金具
１６    係止部材
１５    押さえ部材
１７    上板部
１８    係合部
１９    引き手部
５１    太陽電池モジュール
５２    本体
５２ａ  上面
５２ｂ  下面
５３    枠体
５３ａ  嵌合部
５３ｂ  支持板部
５４    熱モジュール
【手続補正書】
【提出日】令和2年9月10日(2020.9.10)
【手続補正１】
【補正対象書類名】明細書
【補正対象項目名】全文
【補正方法】変更
【補正の内容】
【発明の詳細な説明】
【技術分野】
【０００１】
本発明は、支持架台上に固定された太陽電池モジュールの本体に冷却用又は温熱用の熱モジュールを密着させるための取付金具に関する。
【背景技術】
【０００２】
従来、特許文献１に支持架台上に固定した太陽電池モジュールを冷却する太陽電池モジュール冷却ユニットが記載されている。この太陽電池モジュール冷却ユニットは、支持架台上の太陽電池モジュールとの間に気体を流通させる気体流路形成部材と、冷却気体を供給する冷却気体供給筒とを備えている。
また、特許文献２に太陽電池モジュールを冷却・加温するソーラーパネルの冷却・加温装置が記載されている。この冷却・加温装置は、ソーラーパネルに重ねて一体化する容器状の支持板部と、ソーラーパネルと支持板部と間に収容されて上下に通水させる密閉の平袋と、平袋に通水させる送水管とを具備する。
【先行技術文献】
【特許文献】
【０００３】
【特許文献１】特開2013-093524号公報
【特許文献２】特開2013-075514号公報
【発明の概要】
【発明が解決しようとする課題】
【０００４】
上記従来の装置においては、何れも太陽電池モジュールの支持架台に一体的に設けられ、専用の支持架台と共に組み立てなければならない。太陽電池モジュールの冷却・加温手段としての熱モジュールは、既設の太陽電池モジュールの環境に応じて冷却用又は温熱用の板状、マット状又はシート状のものを事後的に付加されるものが好都合で、これらを既設の支持架台に簡易的に装着できる取付金具が望まれている。
したがって、本発明は、太陽電池モジュールの冷却・加温用の熱モジュールを必要に応じて簡易的に支持架台に取り付けるための太陽電池モジュールの冷却・加温用熱モジュールの取付金具を提供することを目的としている。
【課題を解決するための手段】
【０００５】
上記課題を解決するための、本発明の太陽電池モジュール用熱モジュール５４の取付金具は、熱モジュール５４を太陽電池モジュール５１の本体５２の下面に密着させるように保持する剛性のある押さえ部材２と、この押さえ部材２を太陽電池モジュール５１の枠体５３に固定する係止部材３とを具備する。押さえ部材２は、本体５２の下面に熱モジュール５４を介在させて沿う平滑な平面を有し、枠体５３の対向部間に延びるように配置される。係止部材３は、押さえ部材２の両端部から所定距離だけ中央よりの位置に係止される上部と、枠体５３の支持板部５３ｂに係止される下部と、当該上下部間において折り返され対向する上下部間を接近、離反させるように弾性変形するばね部７とを具備し、上部において押さえ部材２を弾性的に上方へ押圧するように設けられる。
【発明の効果】
【０００６】
本発明の太陽電池モジュール冷却・加温用熱モジュールの取付金具によれば、特別の工具を用いることなく、既設の太陽電池モジュールの下面に熱モジュールを簡単な操作で迅速にかつ確実に取り付けることができる。
【図面の簡単な説明】
【０００７】
【図１】本発明の第１の実施形態に係る太陽電池モジュールの冷却・加温用熱モジュールの取付金具の正面図である。
【図２】図１の取付金具の底面図である。
【図３】図１の取付金具の取付状態の正面図である。
【図４】本発明の第２の実施形態に係る太陽電池モジュールの冷却・加温用熱モジュールの取付金具の正面図である。
【図５】図４の取付金具の底面図である。
【図６】図４の取付金具の取付状態の正面図である。
【図７】本発明の第３の実施形態に係る太陽電池モジュールの冷却・加温用熱モジュールの取付金具の取付状態の正面図である。
【図８】図７の取付金具の取付操作途上の正面図である。
【発明を実施するための形態】
【０００８】
図面を参照して本発明の第１の実施形態を説明する。
図１ないし図３において、太陽電池モジュール５１は、セルが封止された矩形板状の本体５２と、この本体５２の四囲を保持するアルミ合金等からなる枠体５３とを具備する。本体５２は、受光面である上面５２ａと、その反対側である下面５２ｂとを有する。枠体５３は、本体５２の端縁が嵌め込まれる断面概略コ字状の嵌合部５３ａと、その下方に間隔を置いて本体５２の下面５２ｂと平行に延出する支持板部５３ｂとを具備する。支持板部５３ｂが図示しない支持架台上に固定される。
太陽電池モジュール５１を冷却・加温する板状又はシート状の熱モジュール５４は、本体５２の下面５２ｂに密着するように、取付金具１を介して枠体５３に支持される。
【０００９】
取付金具１は、太陽電池モジュール５１の本体５２の下面５２ｂに重なる熱モジュール５４を支持する押さえ部材２と、押さえ部材２の両端部を支持板部５３ｂに固定する係止部材３とを具備する。
【００１０】
押さえ部材２は、対向する側板部４の両端部に軸受け孔５を有する長尺の金属製角パイプ材からなる。
係止部材３は、曲げ加工した弾性金属線材からなり、押さえ部材２の軸受け孔５に外側から貫通するように互いに突き合わされた一対の軸部６と、両軸部６から直角に伸びてそれぞれＵ字状に折り返されて平行するばね部７と、ばね部７との間に枠体５３の支持板部５３ｂを受け入れるようにさらに折り返されて並行した後互いに結合するフック部８とを具備する。係止部材３は、軸部６，６間を拡開可能に弾性変形することにより、押さえ部材２の軸受け孔５に抜き差しして脱着可能である。ばね部７の対向部の間隔は、太陽電池モジュール５１の本体５２の下面５２ｂに密着させた熱モジュール５４の押さえ部材２の支持位置において軸部６と支持板部５３ｂとの間で縮小変形する寸法態様に構成されている。
【００１１】
この取付金具１は、図３に示すように、例えば、既設の太陽電池モジュール５１に熱モジュール５４を取り付けるとき、押さえ部材２を対向する支持板部５３ｂ，５３ｂの対向方向に配置して太陽電池モジュール５１の本体５２との間に熱モジュール５４を挟むように保持し、係止部材３を支持板部５３ｂに掛け止めた状態で軸部６を押さえ部材２の軸受け孔５に差し込み固定する。係止部材３は、フック部８を支持板部５３ｂに掛け、軸部６を押さえ部材２の軸受け孔５に差し込んだ状態で、ばね部７が軸部６と支持板部５３ｂとの間で上下に縮小変形して、押さえ部材２を押し上げて熱モジュール５４を太陽電池モジュール５１に密着させると共に、支持板部５３ｂを押し下げて支持板部５３ｂからの離脱を阻止する。
【００１２】
第２の実施形態に係る取付金具を図４ないし図６に示す。なお、以下において、先の実施形態と実質的に同一の部分は同一符号を付して説明を省略する。
取付金具９の押さえ部材１０は、断面略コ字状の長尺の金属製型材からなり、熱モジュール５４を載せ受ける上板部１１と、上板部１１の両側から対向して垂直下方へそれぞれ連続する側板部１２とを具備する。押さえ部材１０は、一端部の側板部１２に係止部材３の軸部６を内側から貫通させる軸受け孔５と、他端部の側板部１２に鈎状の長孔１３とを備える。長孔１３は、横方向に伸びる横孔部１３ａと、これに連続し押さえ部材１０の端部側で上方へ直角に向かう縦孔部１３ｂとを具備し、係止部材３の軸部６を内側から貫通させて長孔１３の範囲で係止部材３を移動可能に係合させる。
【００１３】
押さえ部材１０の軸受け孔５及び長孔１３に軸部６を内側から差し込んだ状態で、押さえ部材１０の一端部の係止部材３を先と同様にして支持板部５３ｂに掛け止め、他端部の係止部材３を長孔１３に沿って外側へ移動させて支持板部５３ｂに掛け止める。他端部の係止部材３は、横孔部１３ａに沿う移動途上でフック部８が支持板部５３ｂに掛かると、ばね部７が縮小変形し、軸部６が縦孔部１３ｂに達すると、縦孔部１３ｂの上端に跳ね上がり係止部材３の逆行を阻止して抜け止めする。
【００１４】
第３の実施形態に係る取付金具を図７及び図８に示す。
取付金具１４の係止部材１６は、開口端部に向かうに従って間隔が拡がるばね部７及びフック部８と、さらにばね部７の先端から下方に段差をそれぞれ形成して並行して伸びる係合部１９と、係合部１９から垂直下方へ並行に伸びて互いに連続する引き手部２０とを具備する。太陽電池モジュール５１の本体５２の下面５２ｂに熱モジュール５４を密着させるように押さえ部材１５をあてがい、引き手部２０に指を掛けて係止部材１６を押さえ部材１５の上板部１７に沿って側板部１８にガイドさせつつ支持板部５３ｂまでスライドさせて装着する。係止部材１６は、移動途上でフック部８が支持板部５３ｂに掛かり始めると、押さえ部材１５の上板部１７と支持板部５３ｂとの間でばね部７が縮小変形し、ばね部７が上板部１７を越えると、上板部１７が係合部１９に落ち込んで係止部材１６の逆行を阻止して抜け止めする。
【符号の説明】
【００１５】
１    取付金具
２    押さえ部材
３    係止部材
４    側板部
５    軸受け孔
６    軸部
７    ばね部
８    フック部
９    取付金具
１０    押さえ部材
１１ 上板部
１２ 側板部
１３    長孔
１３ａ  横孔部
１３ｂ  縦孔部
１４    取付金具
１５    押さえ部材
１６    係止部材
１７    上板部
１８    側板部
１９    係合部
２０ 引き手部
５１    太陽電池モジュール
５２    本体
５２ａ  上面
５２ｂ  下面
５３    枠体
５３ａ  嵌合部
５３ｂ  支持板部
５４    熱モジュール